(57)【特許請求の範囲】
【請求項１】
洗浄水源から供給される洗浄水により便器を洗浄して汚物を排出する水洗大便器であって、
ボウル形状の汚物受け面と、この汚物受け面の上縁部に形成されたリム部と、を備えたボウル部と、
このボウル部の下方にその入口が接続され汚物を排出する排水路と、
上記ボウル部に洗浄水を吐水して旋回流を形成する吐水部と、
上記吐水部に洗浄水を供給する導水路と、
上記リム部の少なくとも一部の上方に設けられる外装部材と、を有し、
上記リム部は、上記リム部の外周を形成するリム外壁部と、上記リム部の内周を形成するリム内壁部と、を備え、
上記リム外壁部は、上記リム外壁部の上部領域の外側が下方に傾斜するリム外壁上部傾斜面を備え、上記外装部材の少なくとも一部の外装部分の下端は上記リム外壁上部傾斜面の高さに配置され、且つ上記外装部材は、上記外装部材の上記下端が上記リム外壁上部傾斜面に向かうように、上記外装部材の側壁が下方に向かうにつれて内側に傾斜する傾斜部分を備え、
上記リム内壁部は、上記リム内壁部の上部領域がその上端から下端まで内側に向かって下方に傾斜するリム内壁上部傾斜面であって、垂直断面視で、上記リム内壁部の上端から下端までの所定領域の高さのうち１０％〜６０％の範囲の高さの領域にわたって形成されるリム内壁上部傾斜面と、上記汚物受け面の上縁部から上記リム内壁上部傾斜面の下端まで直線状に延びる縦壁であって、洗浄水が上記縦壁の内側を流れる縦壁と、を備え、
上記リム部は、上記ボウル部の側方側領域において、上記縦壁が、上記汚物受け面の上縁部から上記リム内壁上部傾斜面の下端までほぼ垂直に立ち上がると共に、上記リム内壁上部傾斜面の水平方向の幅が上記リム外壁上部傾斜面の水平方向の幅よりも大きく形成されていることを特徴とする水洗大便器。
【請求項２】
上記リム内壁部は、上記リム内壁部の上部領域の内側が下方に傾斜するリム内壁上部傾斜面を備え、
上記リム内壁上部傾斜面の下端は上記吐水部の上端よりも上方に設けられる、請求項１に記載の水洗大便器。
【請求項３】
上記リム内壁部は、上記リム内壁部の上部領域の内側が下方に傾斜するリム内壁上部傾斜面を備え、
上記リム内壁上部傾斜面は、円弧形状に形成され、
上記リム外壁上部傾斜面は、円弧形状に形成され、
上記リム外壁上部傾斜面を形成する円弧の半径と、上記リム内壁上部傾斜面を形成する円弧の半径との比率が、１：２〜１：５の範囲の比率に形成されている、請求項１又は２に記載の水洗大便器。
【請求項４】
上記リム部は、上記リム内壁部の少なくとも一部が内側に向かってオーバーハングした形状に形成されている、請求項１乃至３の何れか１項に記載の水洗大便器。
【請求項５】
上記吐水部は、上記ボウル部の前方側領域から前方に向かって吐水するように形成され、上記ボウル部の前端から後方に向かって流れる旋回流を形成する、請求項１乃至４の何れか１項に記載の水洗大便器。
【請求項６】
上記リム部は、上記ボウル部の上記吐水部から前方側において、上部が内側に向かってオーバーハングした形状に形成されている、請求項１乃至５の何れか１項に記載の水洗大便器。
【請求項７】
上記水洗大便器は、洗浄水源から水道の給水圧を直接利用した水道直圧式の給水装置により供給される洗浄水により便器を洗浄して汚物を排出する水洗大便器である、請求項１乃至６の何れか１項に記載の水洗大便器。
【請求項８】
上記外装部材の少なくとも一部の外装部分の下端部は、上記リム部の上面の高さよりも低い高さに配置される、請求項１乃至７の何れか１項に記載の水洗大便器。
【発明の詳細な説明】
【技術分野】
【０００１】
本発明は、水洗大便器に係り、特に、洗浄水源から供給される洗浄水により便器本体を洗浄して汚物を排出する水洗大便器に関する。
【背景技術】
【０００２】
従来から、特許文献１に開示されているように、便器本体の後方上部には、貯水タンクから供給された洗浄水をボウル部に吐水する導水路が形成され、この導水路の上方においてボウル部の上縁部に沿って形成されたリム部が形成されている。このリム部においては、便器本体の内側に形成された内側縁部と、便器本体の外側に形成された外側縁部とがほぼ同じ形の角状に形成されている。
【先行技術文献】
【特許文献】
【０００３】
【特許文献１】特許第０４９４１７９６号
【発明の概要】
【発明が解決しようとする課題】
【０００４】
このような従来の水洗大便器に、リム部上に便座及び便蓋を配置するには、一般的に、図１１に示すように、便蓋下端部１６０とリム外壁部１５６とを当接させないようにするという要請があるため、便蓋の下端部１６０は、リム外壁部１５６より外側且つ上方に配置されるようになっている。よって、便蓋下端部１６０とリム上面部１５４との間において、隙間Ｃが形成される。
このとき、使用者が便器の横方向から見た場合に、便蓋下端部１６０とリム外壁部１５６との間に隙間Ｃが形成されて見え、境目が複数のラインとして見え、境目が一つのラインとして見えないという問題があった。
また、この隙間Ｃにリム上面部１５４上の凹凸１５４ａが見えることとなり、便蓋下端部１６０とリム上面部１５４との間の境目が凹凸状のラインとして見えるため、使用者に直線的に整った一つのラインとして見せることができず、使用者に美的感覚を与えることができないという問題があった。
【０００５】
そこで、本発明は、外装部材をリム部上に設置する場合に、外装部材の少なくとも一部の外装部分をリム外壁上部傾斜面の高さに、容易に組み付け及び位置合わせすることができ、さらに、便器の横方向から見て、外装部材の少なくとも一部の外装部分と、リム外壁上部傾斜面との境目が直線的に整った一つのラインとして見え、使用者に美的感覚を与えることができる水洗大便器を提供することを目的としている。
【課題を解決するための手段】
【０００６】
上述した目的を達成するために、洗浄水源から供給される洗浄水により便器を洗浄して汚物を排出する水洗大便器であって、ボウル形状の汚物受け面と、この汚物受け面の上縁部に形成されたリム部と、を備えたボウル部と、このボウル部の下方にその入口が接続され汚物を排出する排水路と、ボウル部に洗浄水を吐水して旋回流を形成する吐水部と、吐水部に洗浄水を供給する導水路と、リム部の少なくとも一部の上方に設けられる外装部材と、を有し、リム部は、リム部の外周を形成するリム外壁部と、リム部の内周を形成するリム内壁部と、を備え、リム外壁部は、リム外壁部の上部領域の外側が下方に傾斜するリム外壁上部傾斜面を備え、外装部材の少なくとも一部の外装部分の下端はリム外壁上部傾斜面の高さに配置され、且つ外装部材は、外装部材の下端がリム外壁上部傾斜面に向かうように、外装部材の側壁が下方に向かうにつれて内側に傾斜する傾斜部分を備え、リム内壁部は、リム内壁部の上部領域がその上端から下端まで内側に向かって下方に傾斜するリム内壁上部傾斜面であって、垂直断面視で、リム内壁部の上端から下端までの所定領域の高さのうち１０％〜６０％の範囲の高さの領域にわたって形成されるリム内壁上部傾斜面と、汚物受け面の上縁部からリム内壁上部傾斜面の下端まで直線状に延びる縦壁であって、洗浄水が縦壁の内側を流れる縦壁と、を備え、リム部は、ボウル部の側方側領域において、縦壁が、汚物受け面の上縁部からリム内壁上部傾斜面の下端までほぼ垂直に立ち上がると共に、リム内壁上部傾斜面の水平方向の幅がリム外壁上部傾斜面の水平方向の幅よりも大きく形成されていることを特徴としている。
このように構成された本発明においては、リム部がリム外壁の上部領域の外側が下方に傾斜するリム外壁上部傾斜面を備え、外装部材の少なくとも一部の外装部分の下端はリム外壁上部傾斜面の高さに配置され、且つ外装部材は、外装部材の下端をリム外壁上部傾斜面に向ける傾斜部を備える。これにより、リム部上に設置する外装部材の少なくとも一部の外装部分をリム外壁上部傾斜面の高さに、容易に組み付け及び位置合わせすることができ、さらに、便器の横方向から見て、外装部材の少なくとも一部の外装部分の下端と、リム外壁上部傾斜面との境目が直線的に整った一つのラインとして見え、使用者に美的感覚を与えることができる。
また、このように構成された本発明においては、リム内壁上部傾斜面の水平方向の幅はリム外壁上部傾斜面の水平方向の幅よりも大きく形成されているので、使用者が、リム部の拭き掃除を行う場合に、自身の手指がリム部の上部からリム内壁上部傾斜面の傾斜する面に沿うようにリム部の内壁までかかっている状態で、リム部の上部、リム内壁上部傾斜面及びリム内壁部を効率よく清掃することができる。さらに、リム部の上面からリム内壁上部傾斜面及びリム内壁部に比較的均等に力をかけながら拭き掃除をすることができるため、使用者が、拭き掃除をしようとする比較的強い力を容易にリム部全体にかけることができ、清掃性を向上させることができる。
【０００８】
本発明は、好ましくは、リム内壁上部傾斜面の下端は吐水部の上端よりも上方に設けられている。
このように構成された本発明においては、吐水部から吐水された洗浄水は、リム内壁上部傾斜面の下端よりも下方の領域に沿って旋回されるので、洗浄水がリム内壁上部傾斜面を越えて便器外に水飛びすることを抑制することができる。また、このように洗浄水がリム内壁上部傾斜面の下端よりも下方の領域に沿って旋回されるので、リム内壁上部傾斜面の幅や大きさを比較的大きく形成することができる。
【０００９】
本発明は、好ましくは、リム内壁上部傾斜面は、円弧形状に形成され、リム外壁上部傾斜面は、円弧形状に形成され、リム外壁上部傾斜面を形成する円弧の半径と、リム内壁上部傾斜面を形成する円弧の半径との比率が、１：２〜１：５の範囲の比率に形成されている。
このように構成された本発明においては、リム内壁上部傾斜面を形成する円弧の半径が、使用者の手指の曲りによって握りやすい半径に形成されている。よって、使用者が、リム部の拭き掃除を行う場合に、自身の手指をリム内壁上部傾斜面を形成する円弧形状に沿うようにかけやすくなっている。
【００１０】
本発明は、好ましくは、リム部は、リム内壁部の少なくとも一部が内側に向かってオーバーハングした形状に形成されている。
このように構成された本発明においては、施工者、製造者等が便器の運搬をする際に、手指をオーバーハングした形状に形成されたリム部にかけることにより、手指を引っかけた状態で、便器の運搬を良好にすることができる。
【００１１】
本発明は、好ましくは、吐水部は、ボウル部の前方側領域から前方に向かって吐水するように形成され、ボウル部の前端から後方に向かって流れる旋回流を形成する。
このように構成された本発明においては、吐水部が、ボウル部の前端から後方に向かって流れる旋回流を形成することができ、節水をしながらボウル部を十分に洗浄することができる。
【００１２】
本発明は、好ましくは、リム部は、ボウル部の吐水部から前方側において、上部が内側に向かってオーバーハングした形状に形成されている。
このように構成された本発明においては、吐水部から吐水された洗浄水がリム部を越えて便器外に水飛びを生じやすいボウル部の吐水部から前方側の領域において、リム部の上部が内側に向かってオーバーハングした形状に形成されているので、洗浄水が便器外に水飛びすることを抑制することができる。
【００１３】
本発明は、好ましくは、水洗大便器は、洗浄水源から水道の給水圧を直接利用した水道直圧式の給水装置により供給される洗浄水により便器を洗浄して汚物を排出する水洗大便器である。
このように構成された本発明においては、水道直圧式の給水装置により供給される洗浄水は、吐水時の水勢の強さが比較的抑制される。従って、吐水部から吐水された洗浄水がボウルからリム部を越えて水飛びしにくくなり、リム内壁上部傾斜面の幅を大きく形成することができる。
【００１４】
本発明は、好ましくは、外装部材の少なくとも一部の外装部分の下端部は、リム部の上面の高さよりも低い高さに配置される。
このように構成された本発明においては、リム部がリム外壁の上部領域の外側が下方に傾斜するリム外壁上部傾斜面を備え、外装部材の少なくとも一部の外装部分の下端は、上記リム部の上面の高さよりも低い高さに配置されるので、外装部材の少なくとも一部の外装部分をリム外壁上部傾斜面の高さに配置することができる。
【発明の効果】
【００１５】
本発明の水洗大便器によれば、外装部材をリム部上に設置する場合に、外装部材の少なくとも一部の外装部分をリム外壁上部傾斜面の高さに、容易に組み付け及び位置合わせすることができ、さらに、便器の横方向から見て、外装部材の少なくとも一部の外装部分と、リム外壁上部傾斜面との境目が直線的に整った一つのラインとして見え、使用者に美的感覚を与えることができる。
【図面の簡単な説明】
【００１６】
【図１】本発明の一実施形態による水洗大便器の便器本体、機能部及び便蓋を側面から見た側面図である。
【図２】本発明の一実施形態による水洗大便器の内部を中央断面に沿って示す断面図である。
【図３】本発明の一実施形態による水洗大便器を示す全体構成図である。
【図４】本発明の一実施形態による水洗大便器において、便器本体の上部に機能部及び便蓋を取付けた状態を示す概略平面図である。
【図５】図４のＶ−Ｖ線に沿って見た断面図である。
【図６】図４のＶＩ−ＶＩ線に沿って見た断面図である。
【図７】本発明の一実施形態による水洗大便器において、便蓋が閉じている状態において、便蓋の便蓋下端部と、便器本体のリム部のリム外壁上部傾斜面との位置関係を便器本体の側方から見た概略拡大図である。
【図８】図５のリム部近傍について、便蓋の便蓋下端部と、便器本体のリム部のリム外壁上部傾斜面との位置関係を、拡大して示す概略拡大断面図である。
【図９】本発明の一実施形態による水洗大便器のリム部のリム内壁上部傾斜面に沿うように使用者の手指がかけられた状態を示す図である。
【図１０】従来の水洗大便器のリム内壁上部縁部に使用者の手指がかけられた状態を示す図である。
【図１１】従来の水洗大便器の便器本体、機能部及び便蓋を側面から見た側面図である。
【図１２】従来の水洗大便器のリム部の近傍について、便蓋の便蓋下端部と、便器本体のリム部のリム外壁上部傾斜面との位置関係を、拡大して示す概略拡大断面図である。
【発明を実施するための形態】
【００１７】
次に、添付図面を参照して、本発明の一実施形態による水洗大便器を説明する。
先ず、図１及び図２により、本発明の一実施形態による水洗大便器の構造を説明する。ここで、図１は本発明の一実施形態による水洗大便器の便器本体、機能部及び便蓋を側面から見た側面図であり、図２は本発明の一実施形態による水洗大便器の内部を中央断面に沿って示す断面図である。
【００１８】
図１及び図２に示すように、本発明の一実施形態による水洗大便器１は、便器本体２と、この便器本体２の上面に配置された便座（図示せず）と、便座を覆うように配置された便蓋４と、便器本体２の後方に配置された機能部（給水装置）６と、を備えている。
本実施形態においては、便蓋４と機能部６とが、便器本体２の上部の外観の装いを主に規定する外装部材を形成している。なお、他の実施形態においては、便蓋４が省略され、便座（図示せず）と機能部６とが、便器本体２の上部の外観の装いを主に規定する外装部材を形成していてもよい。また、他の実施形態においては、便蓋４、便座（図示せず）、又は機能部６の少なくとも何れか１つが、便器本体２の上部の外観の装いを主に規定する外装部材を形成していてもよい。
【００１９】
便器本体２は陶器製であり、便器本体２には、汚物を受けるボウル部８と、このボウル部８の底部から延びる排水トラップ管路１０（排水路）と、ジェット吐水を行うジェット吐水口１２と、リム吐水を行う単一のリム吐水口１４（吐水部）が形成されている。
ジェット吐水口１２は、ボウル部８の底部に形成されており、排水トラップ管路１０の入口に指向してほぼ水平に配置され、洗浄水を排水トラップ管路１０に向けて吐出するようになっている。
リム吐水口１４は、ボウル部８の左側上部後方に形成されており、ボウル部８の縁に沿って洗浄水を吐出するようになっている。
なお、本実施形態においては、便器本体２にジェット吐水口１２が形成されているが、本発明はこのような形態に限定されるものではなく、例えば、ジェット吐水口とリム吐水口の内、ジェット吐水口が形成されずリム吐水口のみが形成されてもよい。
【００２０】
排水トラップ管路１０は、入口部１０ａと、この入口部１０ａから上昇するトラップ上昇管１０ｂと、このトラップ上昇管１０ｂから下降するトラップ下降管１０ｃとからなっている。
【００２１】
本実施形態による水洗大便器１は、洗浄水を供給する水道に直結されており、水道の給水圧力によりリム吐水口１４から洗浄水が吐出される。また、ジェット吐水に関しては、後述するように、機能部６に内蔵された貯水タンク２８に貯水された洗浄水を加圧ポンプ３０によって加圧して、大流量でジェット吐水口１２から吐出させるようになっている。
【００２２】
本実施形態における水洗大便器１は、リム吐水に関しては水道の水圧を利用して給水（水道直圧式による給水）して便器を洗浄し、さらに、ジェット吐水に関しては、貯水タンク２８に貯水された洗浄水を加圧ポンプ３０によって加圧してジェット吐水口１２から吐出させるようになっているハイブリッド式（水道直圧式＋タンク給水式）の給水装置を有するハイブリッド式水洗大便器である。
なお、水洗大便器１の機能部６は、ハイブリッド式の給水装置以外にも適用可能である。例えば、水道の水圧を利用して給水する水道直圧式の給水装置のみを備えている水道直圧式の水洗大便器や、フラッシュバルブ式のものや、ポンプの補圧を利用して洗浄水を供給するものであってもよい。
【００２３】
次に、図３により、一実施形態による水洗大便器１の機能部６を詳細に説明する。
図３は本発明の一実施形態による水洗大便器を示す全体構成図である。
図３に示すように、定流量弁（定流量手段）１６と、電磁弁１８と、逆流防止用のリム吐水用バキュームブレーカ２０と、逆流防止用のリム吐水用フラッパー弁２２が設けられている。さらに、給水路２４には、タンクへの給水とリム吐水を切り替える切替弁２６と、貯水タンク２８と、加圧ポンプ３０と、ジェット吐水用バキュームブレーカ３２と、ジェット吐水用フラッパー弁３４と、水抜栓３６とが内蔵されている。また、機能部６には、電磁弁１８の開閉操作、切替弁２６の切換操作、及び、加圧ポンプ３０の回転数や作動時間等を制御するコントローラ３８が内蔵されている。このような構成の少なくとも一部により機能部６は、洗浄水を便器本体２に給水する給水装置として機能することができる。
【００２４】
定流量弁１６を通過した洗浄水は、電磁弁１８に流入し、電磁弁１８を通過した洗浄水は、切替弁２６により、リム吐水口１４又は貯水タンク２８に供給されるようになっている。この切替弁２６は、リム側であるリム側給水路１４ａとタンク側であるタンク側給水路２８ａの両方に同じタイミングで洗浄水を供給可能であって、リム側とタンク側への給水量の割合を任意に変更することができる切替弁である。
【００２５】
電磁弁１８は、コントローラ３８の制御信号により開閉され、供給された洗浄水を切替弁２６に流入させ、又は停止させるようになっている。
また、切替弁２６は、コントローラ３８の制御信号により切り替えられ、電磁弁１８を介して流入した洗浄水をリム吐水口１４から吐出させ、又は、貯水タンク２８に流入させるようになっている。
【００２６】
貯水タンク２８は、ジェット吐水口１２から吐水すべき洗浄水を貯水するように構成されている。なお、本実施形態において、貯水タンク２８は、約２．５リットルの内容積を有する。
【００２７】
貯水タンク２８の内部には、上端フロートスイッチ２８ｂ及び下端フロートスイッチ２８ｃが配置されており、貯水タンク２８内の水位を検出できるようになっている。上端フロートスイッチ２８ｂは、貯水タンク２８内の水位が所定の貯水水位に達するとオンに切り替わり、コントローラ３８はこれを検知して、電磁弁１８を閉鎖させる。一方、下端フロートスイッチ２８ｃは、貯水タンク２８内の水位が所定の水位まで低下するとオンに切り替わり、コントローラ３８はこれを検知して、加圧ポンプ３０を停止させる。
【００２８】
加圧ポンプ３０は、貯水タンク２８に貯水された洗浄水を加圧して、ジェット吐水口１２から吐出させるためのものである。加圧ポンプ３０は、貯水タンク２８の下部から延びる洗浄水管路３０ａにより接続され、貯水タンク２８内に貯水された洗浄水を加圧する。なお、本実施形態においては、加圧ポンプ３０は、貯水タンク２８内の洗浄水を加圧して、洗浄水を最大約１２０リットル／分の流量でジェット吐水口１２から吐出させるようになっている。
【００２９】
また、洗浄水管路３０ａの途中には、逆止弁であるジェット吐水用フラッパー弁３４及び水抜栓３６が設けられている。
一方、加圧ポンプ３０の流出口は、洗浄水管路３０ｂを介して、ボウル部８底部のジェット吐水口１２に接続されている。
【００３０】
ジェット吐水用バキュームブレーカ３２は、加圧ポンプ３０及び洗浄水管路頂部４２の下流側から分岐した分岐管路３２ａに接続されており、ボウル部８内の溜水が貯水タンク２８側へ逆流するのを防止すると共に、それらの間の縁切りを行うようになっている。
【００３１】
コントローラ３８は、使用者による便器洗浄スイッチ（図示せず）の操作により、電磁弁１８、切替弁２６、加圧ポンプ３０を順次作動させ、リム吐水口１４及びジェット吐水口１２からの吐水を順次開始させて、ボウル部８を洗浄する。さらに、コントローラ３８は、洗浄終了後、電磁弁１８を開放し、切替弁２６を貯水タンク２８側に切り替えて洗浄水を貯水タンク２８に補給する。貯水タンク２８内の水位が上昇し、上端フロートスイッチ２８ｂが規定の貯水量を検出すると、コントローラ３８は、電磁弁１８を閉鎖して給水を停止する。
【００３２】
再び、図１乃至図４を参照して、便器本体２の各部について説明する。
図４は本発明の一実施形態による水洗大便器において、便器本体の上部に機能部及び便蓋を取付けた状態を示す概略平面図である。
ボウル部８は、ボウル形状に形成された汚物受け面４４と、ボウル部８の全周の上方外側に形成されて便器本体２の上部縁を形成するリム部４６とを備えている。また、ボウル部８の下方には、溜水部４８が形成されている。この溜水部４８には洗浄水が毎回の洗浄後に所定量まで貯溜されて溜水面Ｗ0が形成されている。この溜水部４８の下方には、上述した排水トラップ管路１０の入口部１０ａが開口し、排水トラップ管路１０のトラップ下降管１０ｃの下端は排水ソケット（図示せず）を介して床下の排出管（図示せず）に接続されている。
【００３３】
導水路５０は、機能部６から延びるリム側給水路１４ａに接続される入口部（図示せず）から前方に延び、ボウル部８を前後方向に二等分する左右方向に延びる中心線に対して前方側であるボウル部８の前方側領域の左側において前向きに開口するリム吐水口１４と連通している。リム吐水口１４は、洗浄水をボウル部８の前方側領域から前方に吐水し、ボウル部８の前端に向かう流れを形成し、さらにボウル部８の前端８ａから折り返して後方側に向かう流れを形成するようになっている。
【００３４】
リム吐水口１４から吐水される洗浄水は、リム吐水口１４からリム部４６と汚物受け面４４との間の面上且つリム部４６の縦壁５２ｂ上に便器前方方向に吐水されて旋回流が形成され、この旋回流がリム部４６の縦壁５２ｂから汚物受け面４４上を溜水部４８の方向に旋回しながら流下する下降流が形成されるようになっている。
【００３５】
つぎに、図５〜図８により、上述したリム部４６について詳細に説明する。
図５は図４のＶ−Ｖ線に沿って見た断面図であり、図６は図４のＶＩ−ＶＩ線に沿って見た断面図であり、図７は本発明の一実施形態による水洗大便器において、便蓋が閉じている状態において、便蓋の便蓋下端部と、便器本体のリム部のリム外壁上部傾斜面との位置関係を便器本体の側方から見た概略拡大図であり、図８は図５のリム部近傍について、便蓋の便蓋下端部と、便器本体のリム部のリム外壁上部傾斜面との位置関係を、拡大して示す概略拡大断面図である。
【００３６】
リム部４６は、リム部４６の内周面を形成し且つ汚物受け面４４の上端４４ａから便器本体２の頂部まで立ち上がるように立壁状に形成されているリム内壁部５２と、このリム部４６の上面を形成するリム上面部５４と、リム部４６の外周面を形成し且つ便器本体２の外面上をリム上面部５４まで立ち上がるように立壁状に形成されているリム外壁部５６と、を備えている。
【００３７】
リム内壁部５２は、リム内壁部５２の上部領域の内側（汚物受け面４４側）が下方に傾斜するリム内壁上部傾斜面５２ａと、リム内壁上部傾斜面５２ａまで縦方向の壁面を形成している縦壁５２ｂと、を備えている。
【００３８】
リム内壁部５２は、リム部４６の内側の全周にわたって形成されている。縦壁５２ｂは、大部分の領域においてほぼ垂直に立ち上がるように形成されているが、リム内壁部５２のうち、ボウル部８のリム吐水口１４から前方側の一部の領域においては、縦壁５２ｂの上部及びリム内壁上部傾斜面５２ａがボウル部８の内側に向かってオーバーハングした形状に形成されている。
【００３９】
縦壁５２ｂは、汚物受け面４４の上端４４ａから、リム内壁上部傾斜面５２ａの下端５２ｃまで、縦方向に立ち上がる壁面を形成している。例えば、縦壁５２ｂは、汚物受け面４４の上端４４ａから、垂直に立ち上がる垂直壁であってもよい。
【００４０】
ここで、リム内壁部５２の高さは、排水管の高さとも関連して位置決めされている汚物受け面４４の上端４４ａから、便器本体２の高さとも関連して位置決めされている便器本体２の頂部まで、比較的限られた範囲の高さにおいて形成されている。よって、リム内壁部５２において、自身のうち、その上部にリム内壁上部傾斜面５２ａが形成されるため、その残りの部分において、リム内壁上部傾斜面５２ａまで縦方向の壁を形成している縦壁５２ｂの高さが比較的低い高さに形成されることとなる。
リム内壁部５２のリム内壁上部傾斜面５２ａは、垂直断面視で、リム内壁部５２の上端から下端までの所定領域の高さＨ１のうち１０％〜６０％の範囲の高さＨ２の領域にわたって形成される。
リム内壁部５２の縦壁５２ｂは、垂直断面視で、リム内壁部５２の上端から下端までの所定領域の高さＨ１のうち４０％〜９０％の範囲の高さＨ３の領域にわたって形成される。
【００４１】
リム内壁上部傾斜面５２ａは、横向きのリム上面部５４と縦向きの縦壁５２ｂとの間のコーナー部をなめらかに連結する傾斜部を形成している。リム内壁上部傾斜面５２ａは、ボウル部８の中央上方に向かって突出するようなアール形状を形成している。別の言い方によれば、リム上面部５４と縦壁５２ｂとを接続する円弧形状を形成している。
リム内壁上部傾斜面５２ａは、その外側の上端５２ｄがリム上面部５４の高さ位置にあり、リム内壁上部傾斜面５２ａの内側が下方に傾斜するように形成され、リム内壁上部傾斜面５２ａの上方が、下端５２ｃよりも外側に広がるように形成されている。なお、リム内壁上部傾斜面５２ａは、リム上面部５４と縦壁５２ｂとの間の面の一部に比較的平坦な面を含みながら、全体的に丸みを帯びるように曲げられている面形状に形成されていてもよい。
【００４２】
リム内壁上部傾斜面５２ａの横向きのリム上面部５４と縦向きの縦壁５２ｂとをなめらかに連結する傾斜部は、面取り面により形成されていてもよい。すなわち、リム上面部５４と縦壁５２ｂとの間が所定の角度の平坦面により形成されていてもよい。例えば、リム部４６の垂直断面において、リム内壁上部傾斜面５２ａの下端５２ｃを通る鉛直線に対し、面取り面が、好ましくは、２０度〜７０度の角度範囲内に平坦面を形成することができ、より好ましくは、３５度〜５５度の角度範囲内に平坦面を形成することができる。また、例えば、面取り面が、その下端５２ｃを通る鉛直線に対し、４５度の角度の平坦面を形成していてもよい。
【００４３】
リム内壁上部傾斜面５２ａは、その表面上の接線の傾きが位置に応じて連続的に変化するような円弧形状に形成されている。従って、使用者が自身の手指をリム内壁上部傾斜面５２ａに沿わせるように配置する場合に、自身の手指とリム内壁上部傾斜面５２ａの面との間に空間を生じさせることを抑制し、手指を全体的に曲面に沿うように自然に配置することができる。なお、リム内壁上部傾斜面５２ａは、人の手指の曲り方に合わせるような他の形状の湾曲面により形成されていてもよい。
【００４４】
なお、上述の使用者が自身の手指をリム内壁上部傾斜面５２ａに沿わせるように配置する場合には、手指全体のみならず、掌、指のみを沿わせる場合も含む。さらに、使用者が手指をリム内壁上部傾斜面５２ａに沿わせる場合には、使用者が便器の清掃等の場合に清掃用の布、トイレットペーパー等の紙等を介して手指をリム内壁上部傾斜面５２ａに沿わせる場合を含んでいる。また、使用者が手指をリム内壁上部傾斜面５２ａに沿わせる場合には、使用者が手指に手袋等をはめた状態で、上記清掃用の布等を介して手指をリム内壁上部傾斜面５２ａに沿わせる場合を含んでいる。
【００４５】
上面視で見た場合に、便器本体２の左右方向（便器本体２を正面から見た場合の横断方向）の中央には、中央側に湾曲しながら下降する曲面を形成する汚物受け面４４が配置され、汚物受け面４４の外側には、同様に内側が下方に下降する曲面を形成するリム内壁上部傾斜面５２ａが配置されることになる。従って、上面視で見た場合に、汚物受け面４４と類似するような、内側に向かって緩やかに下降する曲面のリム内壁上部傾斜面５２ａが、汚物受け面４４の外周に接続して、外側に拡がるような曲面を連続的に形成しているような印象を、使用者に与えることが可能となる。すなわち、使用者は、汚物受け面４４がリム内壁上部傾斜面５２ａの領域分さらに外側にひとまわり拡がったような印象を受けることができる。例えば、男性の使用者が便器本体２の前に立った状態から小便の用を足すような場合に、汚物受け面４４が拡がっているような印象を使用者に与えることは、小便を汚物受け面４４から外してしまう不安感を抑制し、使用者に安心して小便を行えるという安心感を与えることが可能となる。さらに、例えば、使用者が便器本体２上の便座（図示せず）に座った状態から用便をするような場合にも、便座（図示せず）を便器本体２上に降ろす前に汚物受け面４４が拡がっているような印象を使用者に与えることは、用便を汚物受け面４４から外してしまう不安感を抑制し、使用者に安心して用便を行えるという安心感を与えることが可能となる。
【００４６】
図６に示すように、リム内壁上部傾斜面５２ａの下端５２ｃはリム吐水口１４よりも上方に設けられている。より詳細には、リム内壁上部傾斜面５２ａの下端５２ｃはリム吐水口１４の頂部１４ｂよりも上方に設けられている。別の言い方によれば、縦壁５２ｂがリム吐水口１４の頂部１４ｂよりも高い高さまで形成されている。従って、リム吐水口１４は、洗浄水をその近傍の下流側の縦壁５２ｂに接するように吐水するようになっている。
上述のようなリム内壁上部傾斜面５２ａは、比較的緩やかなアール形状に形成され、左右方向の幅が比較的大きく形成されている。リム内壁上部傾斜面５２ａの上端５２ｄと下端５２ｃとの間の水平方向（例えば便器本体の内側方向から外側方向に向かう方向）の幅Ｗ１は、リム吐水口１４の開口の左右の幅Ｗ３よりも大きく形成されている。リム内壁上部傾斜面５２ａの下端５２ｃはリム吐水口１４よりも上方に設けられているので、リム内壁上部傾斜面５２ａの横方向の幅Ｗ１を比較的大きく形成することができ、リム内壁上部傾斜面５２ａの縦方向の高さＨ１も比較的大きく形成することができる。従って、リム内壁上部傾斜面５２ａを半径の大きな緩やかな円弧形状に沿って内側に下り傾斜するように形成することができる。
【００４７】
リム上面部５４は、水平方向に延びる横面を形成し、且つ便器本体２の頂面を形成している。使用者が便器本体２のリム部４６を清掃しようとする場合に、使用者はこのリム上面部５４に掌等を水平に沿うように配置した状態で、且つ指を曲げてリム内壁上部傾斜面５２ａ及び縦壁５２ｂを清掃することが必要になる。なお、リム上面部５４は水平面に限定されず、ボウル部８に向かった下り傾斜あるいは上り傾斜の面として形成しても良い。また、リム上面部５４は、曲面により形成してもよい。さらに、リム上面部５４をリム内壁上部傾斜面５２ａの外側端を外側まで延長した曲面の一部として形成してもよく、又はリム上面部５４をリム外壁上部傾斜面５６ａの内側端を内側まで延長した曲面の一部として形成してもよい。例えば、リム上面部５４をリム内壁上部傾斜面５２ａの一部として形成する場合には、リム内壁上部傾斜面５２ａの外側端とリム外壁上部傾斜面５６ａの内側端とを比較的滑らかに接続し、リム部４６の上面を形成することも可能である。
【００４８】
リム外壁部５６は、横向きのリム上面部５４と縦向きのリム外壁とを接続し、リム部４６の上部の外側（便器本体２の外側）の縁を形成するリム外壁上部傾斜面（リム外側縁部）５６ａと、リム外壁上部傾斜面５６ａまで縦方向の壁を形成しているリム外壁５６ｂと、を備えている。
リム外壁上部傾斜面５６ａは、リム上面部５４とリム外壁５６ｂとの間で、その内側の上端５６ｄがリム上面部５４の高さ位置にあり、その外側が下方に傾斜する傾斜面を形成している。
【００４９】
本実施形態においては、リム外壁上部傾斜面５６ａは、鉛直方向に対して４５度（又は例えばリム上面部５４の平面方向に対して４５度）の傾斜角を有するような４５度の傾斜面（面取り面）として形成されている。リム外壁上部傾斜面５６ａは、鉛直方向に対して他の傾斜角度の傾斜面（面取り面）として形成されていてもよく、例えば、２０度〜７０度の範囲の傾斜角度の傾斜面（面取り面）として形成されていることが好ましい。
【００５０】
さらに、リム外壁上部傾斜面５６ａは、リム上面部５４とリム外壁５６ｂとの間において緩やかに丸みを帯びて形成された曲面を形成していてもよい。
例えば、リム外壁上部傾斜面５６ａは、縦断面で見た場合に、５ｍｍ〜８ｍｍの半径ｒを有する円弧により形成されていてもよい。なお、リム内壁上部傾斜面５２ａは、縦断面で見た場合に、１０ｍｍ〜３０ｍｍ、より好ましくは１６ｍｍ〜２５ｍｍの半径Ｒを有する円弧により形成されている。リム外壁上部傾斜面５６ａが円弧により形成される場合には、リム外壁上部傾斜面５６ａを形成する円弧の半径ｒと、リム内壁上部傾斜面５２ａを形成する円弧の半径Ｒとの比率は、１：２〜１：５の範囲の比率に形成されている。
【００５１】
本実施形態において、リム内壁上部傾斜面５２ａの水平方向（例えば便器本体の内側方向から外側方向に向かう方向）の幅Ｗ１は、リム外壁上部傾斜面５６ａの上端５６ｄと下端５６ｃとの間の水平方向（例えば便器本体の内側方向から外側方向に向かう方向）の幅Ｗ２よりも大きく形成されている。リム内壁上部傾斜面５２ａ及びリム外壁上部傾斜面５６ａは傾斜面により形成されているので、使用者が手指をリム内壁上部傾斜面５２ａ及びリム外壁上部傾斜面５６ａに掛けた場合に、手指をリム内壁上部傾斜面５２ａ及びリム外壁上部傾斜面５６ａに沿って自然に配置することができ、手指とリム部４６との間に空間を比較的大きな空間を生じることなく、握りやすい形状に形成されている。
【００５２】
また、上述のように、縦壁５２ｂ及びリム内壁上部傾斜面５２ａがリム部４６の全周のうち少なくとも一部において、内側に向かってオーバーハングした形状に形成されているので、施工者、製造者等が手指を、リム部４６のオーバーハング形状の内側にかけながら持ち上げるようにリム部４６を掴みやすくなっている。従って、施工者、製造者等が便器の運搬をする際に、手指をオーバーハング形状に形成されたリム部４６にかけることにより、手指の先をリム内壁上部傾斜面５２ａの下方側に引っかけたような状態で、上方に引上げる荷重をリム部４６に作用させやすくなり、便器の運搬を良好にすることができる。
【００５３】
つぎに、図５〜図８により、上述したリム部４６のリム外壁上部傾斜面５６ａと便蓋４との関係について詳細に説明する。
図５乃至図８に示すように、便蓋４が閉じられている状態で、便蓋４の側壁５８の便蓋下端部６０がリム外壁上部傾斜面５６ａの高さに配置されている。便蓋４の側壁５８は、便器本体２の正面側から見て側方側及び正面側の縦壁を含む。外装部材の外装部分は、例えば、便蓋４の側壁５８、後述する機能部６の側壁及び後壁等、後述する他の変形例においては便座の側部等により形成されている。
便蓋４の側壁５８の便蓋下端部６０は、その便蓋下端部６０の最下面を形成する便蓋下端面６０ａと、便蓋下端部６０の内側面を形成する便蓋内側面６０ｂと、便蓋下端部の外側面を形成する便蓋外側面６０ｃと、を備えている。
【００５４】
図８に示すように、便蓋下端部６０は、高さ方向において、リム外壁上部傾斜面５６ａの上端５６ｄと下端５６ｃとの間に位置するようなっている。より詳細には、便蓋４の便蓋下端部６０は、リム部４６のリム上面部５４の高さよりも低い高さに配置され、且つリム外壁上部傾斜面５６ａの下端５６ｃの高さよりも高い高さに配置されている。
【００５５】
便蓋下端部６０の便蓋内側面６０ｂは、水平方向に見て、リム外壁上部傾斜面５６ａの下端５６ｃの位置より、便器内側の位置に配置されている。
便蓋下端部６０の便蓋外側面６０ｃは、水平方向に見て、リム外壁上部傾斜面５６ａの下端５６ｃの位置と同じ位置又はリム外壁上部傾斜面５６ａの下端５６ｃの位置より、便器外側の位置に配置されている。すなわち、便蓋下端部６０の便蓋外側面６０ｃと、リム外壁５６ｂとが、ほぼ面一の関係で配置されるか、又は便蓋下端部６０の便蓋外側面６０ｃが、リム外壁５６ｂよりも便器の外側に配置されるようになっている。
【００５６】
図８に示すように、便蓋４の便蓋下端部６０の便蓋下端部６０は、高さ方向において、リム外壁上部傾斜面５６ａの上端５６ｄと下端５６ｃとの間に位置するようなっているので、便器の横方向から見た場合に、便蓋４の側壁５８の便蓋下端部６０が、リム外壁上部傾斜面５６ａに重なって見えることとなる。
便器本体２は陶器製であるため、便器本体２を製造する際の焼き締め時の収縮誤差等の製造誤差等による凹凸５４ａがリム上面部５４にも生じる場合がある。リム上面部５４上に凹凸５４ａが生じている場合に、便蓋下端部６０が凹凸５４ａよりも下方まで延び、凹凸５４ａを隠すことができる。よって、横方向から見た場合に、リム上面部５４上の凹凸５４ａが使用者に見えることなく、便蓋下端部６０と、リム外壁上部傾斜面５６ａとの境目を、便蓋４とリム外壁部５６との境目として、直線的に整った一つのラインとして見せることができ、使用者に美的感覚を与えることができる。
【００５７】
図８に示すように、便蓋４が閉じられている状態で、便蓋下端面６０ａとリム外壁上部傾斜面５６ａとの間には、隙間Ｓが形成されるようになっている。例えば、便蓋下端面６０ａとリム外壁上部傾斜面５６ａとの距離が最も近くなるような隙間Ｓは、上端５６ｄよりも下方且つ下端５６ｃよりも上方に位置し、さらに、リム上面部５４よりも下方に位置している。このように便蓋下端面６０ａとリム外壁上部傾斜面５６ａとは直接当接しないようになっているが、便器の横方向（側面方向）から見た場合に、便蓋４の側壁の少なくとも一部の便蓋下端面６０ａがリム外壁上部傾斜面５６ａ上に接続しているかのように見え、さらに、便蓋下端面６０ａと、リム外壁上部傾斜面５６ａとの境目が、便蓋下端面６０ａの前後方向に延びる直線的な形状に沿って直線的に整った一つのラインとして視認され、使用者に美的感覚を与えることができる。
よって、便蓋４のリム部４６への取付け（組付け）誤差や、便器の製造誤差等により、便蓋下端面６０ａの位置が当初予定している位置から上下左右にずれてしまう場合においても、便蓋下端面６０ａがリム外壁上部傾斜面５６ａの上端５６ｄと下端５６ｃとの間に位置していれば、便器の横方向から見た場合に、便蓋下端面６０ａがリム外壁上部傾斜面５６ａ上に重なって接続しているかのように見え、さらに、便蓋下端面６０ａと、リム外壁上部傾斜面５６ａとの境目が直線的に整った一つのラインとして見えることができる。
【００５８】
なお、本実施形態においては、機能部６は、便器本体２の後方のリム上面部５４上に配置され、機能部６の側壁及び後壁の機能部下端部６２がリム上面部５４上に配置されているが、変形例として、この機能部６の側壁及び後壁の機能部下端部の少なくとも一部が、高さ方向において、リム外壁上部傾斜面５６ａの上端５６ｄと下端５６ｃとの間に位置するように、リム上面部５４の高さと一致する高さ又はリム上面部５４より下方の高さまで延ばされていてもよい。
このように機能部下端部がリム外壁上部傾斜面５６ａの上端５６ｄと下端５６ｃとの間に位置する場合には、便器の横方向から見た場合に、機能部の側壁及び後壁の機能部下端部が、リム外壁上部傾斜面５６ａに重なって見えることとなる。リム上面部５４上に凹凸５４ａが生じている場合に、機能部下端部が凹凸５４ａよりも下方まで延び、凹凸５４ａを隠すことができる。よって、横方向から見た場合に、リム上面部５４上の凹凸５４ａが使用者に見えることなく、機能部下端部と、リム外壁上部傾斜面５６ａとの境目を、機能部６とリム外壁部５６との境目として、直線的に整った一つのラインとして見せることができ、使用者に美的感覚を与えることができる。
【００５９】
なお、本実施形態による水洗大便器１は、便器本体２の上面に配置された便座（図示せず）と、便座を覆うように配置された便蓋４とを備えているが、他の変形例として、便蓋４が省略され、便器本体２の上面のリム上面部５４上に配置された便座が、便器の外側の装いを決定する外装部材として機能している水洗大便器においても適用することができる。この場合、便座の側部（正面側部分を含む）の便座下端部の少なくとも一部が、高さ方向において、リム外壁上部傾斜面５６ａの上端５６ｄと下端５６ｃとの間に位置するように、リム上面部５４の高さと一致する高さ又はリム上面部５４より下方の高さまで延ばされていてもよい。
このように便座下端部がリム外壁上部傾斜面５６ａの上端５６ｄと下端５６ｃとの間に位置する場合には、便器の横方向から見た場合に、便座の側部の便座下端部が、リム外壁上部傾斜面５６ａに重なって見えることとなる。リム上面部５４上に凹凸５４ａが生じている場合に、便座下端部が凹凸５４ａよりも下方まで延び、凹凸５４ａを隠すことができる。よって、横方向から見た場合に、リム上面部５４上の凹凸５４ａが使用者に見えることなく、便座下端部と、リム外壁上部傾斜面５６ａとの境目を、機能部６とリム外壁部５６との境目として、直線的に整った一つのラインとして見せることができ、使用者に美的感覚を与えることができる。
【００６０】
次に、従来の水洗大便器１０１について、図１１及び図１２により、本実施形態による水洗大便器１との違いを主に説明する。
図１１は従来の水洗大便器の便器本体、機能部及び便蓋を側面から見た側面図であり、図１２は従来の水洗大便器のリム部の近傍について、便蓋の便蓋下端部と、便器本体のリム部のリム外壁上部傾斜面との位置関係を、拡大して示す概略拡大断面図である。
【００６１】
従来の水洗大便器１０１においては、便蓋１０４の便蓋下端部１６０が便蓋１０４が閉まった状態でリム上面部１５４より上方に配置されている。また、一般的に、水洗大便器においては、便蓋下端部１６０とリム外壁部（リム外側縁部）１５６とを当接させないという要請があるため、便蓋下端部１６０は、リム外壁部（リム外側縁部）１５６より外側且つ上方に配置されるようになっている。よって、便蓋下端部１６０とリム上面部１５４との間、及び便蓋下端部１６０とリム外壁部１５６との間において、隙間Ｃが形成される。このとき、使用者が便器の横方向から見た場合に、便蓋下端部１６０とリム外壁部１５６との間に隙間Ｃが形成されて見えるため、便蓋１０４とリム外壁部１５６との境目は、便蓋下端部１６０の下端と、隙間Ｃと、リム外壁部１５６の上端とがそれぞれ別々に見えることとなって、境目が複数のラインとして見え、境目が一つのラインとして見えないこととなる。また、便蓋下端部１６０とリム外壁部１５６との間に隙間Ｃが存在するため、隙間Ｃから便器内が見えてしまうこととなり、使用者に美的感覚を与えることができにくくなっている。
また、便蓋下端部１６０とリム上面部１５４との間の境目の隙間Ｃにリム上面部１５４上の凹凸１５４ａが見えることとなり、便蓋下端部１６０とリム上面部１５４との間の境目が凹凸状のラインとして見え、使用者に直線的に整った一つのラインとして見せることができず、使用者に美的感覚を与えることができなかった。
【００６２】
つぎに、図９及び図１０により、上述した使用者がリム部４６を清掃しようとする状態について詳細に説明する。
図９は本発明の一実施形態による水洗大便器のリム部のリム内壁上部傾斜面に沿うように使用者の手指がかけられた状態を示す図であり、図１０は従来の水洗大便器のリム内壁上部縁部に使用者の手指がかけられた状態を示す図である。使用者の手指にＨの参照符号を付して説明する。
【００６３】
本発明の実施形態においては、図９に示すように、使用者がリム部４６を清掃しようとする状態においては、使用者は、使用者の手指Ｈの掌Ｈａ及び/又は指の掌側の部分Ｈｂをリム上面部５４に接するように配置しながら清掃し、指先Ｈｄ側において縦壁５２ｂ側を清掃する。ここで、リム上面部５４は概ね水平の平面を形成し、縦壁５２ｂは概ね鉛直方向の壁面を形成していることから、使用者は、指の関節を曲げて縦壁５２ｂ側を清掃する。このとき、リム内壁上部傾斜面５２ａが比較的大きな半径の円弧を形成しているので、指の曲り部分（例えばＨｃ、Ｈｄ）を緩やかにでき且つリム内壁上部傾斜面５２ａの円弧に指の曲り部分（例えばＨｃ）に沿わせて配置することができる。従って、使用者は、例えば、使用者の手指Ｈの指の付け根側の掌側の部分Ｈｂとリム上面部５４とを接した状態とし、指の第２関節部分Ｈｃとリム内壁上部傾斜面５２ａとを接した状態とし、指の指先部分Ｈｄと縦壁５２ｂとを接した状態とし、同時にリム上面部５４とリム内壁上部傾斜面５２ａと縦壁５２ｂとを効率よく清掃することができる。さらに、使用者が手指Ｈを無理に曲げることなくリム上面部５４とリム内壁上部傾斜面５２ａと縦壁５２ｂと接した状態とすることができるので、使用者が容易に清掃のために必要とする力を手指Ｈにかけることができる。従って、リム上面部５４、リム内壁上部傾斜面５２ａ及び縦壁５２ｂの清掃性も向上されることとなる。
また、使用者がリム上面部５４側からリム内壁上部傾斜面５２ａを越えて縦壁５２ｂを清掃しようとする場合に、リム内壁上部傾斜面５２ａに清掃力を十分に作用させることができずに、リム内壁上部傾斜面５２ａの清掃に不具合が生じ、さらなる清掃の手間が生じることを抑制することができる。
【００６４】
これに対し、従来の水洗大便器１０１においては、図１０に示すように、リム部１４６において従来のリム内壁上部縁部１５２ａが形成されている。従来の水洗大便器１０１においては、使用者がリム部１４６を清掃しようとする状態においては、使用者が、使用者の手指Ｈの掌Ｈａ及び/又は指の掌側の部分Ｈｂをリム上面部１５４に接するように配置しながら清掃するとき、リム内壁上部縁部１５２ａが比較的小さな半径の円弧（リム外壁上部傾斜面１５６ａとほぼ同様の半径の円弧）からなる接続部分（縁部）を形成しているので、リム内壁上部縁部１５２ａの円弧に指の第２関節部分Ｈｃ等の指の曲り部分を沿わせて配置することができない状態となっている。すなわち、使用者の手指Ｈの指の第２関節部分Ｈｃは、リム内壁上部縁部１５２ａから離間した状態となり、指の指先部分Ｈｄは縦壁１５２ｂから離間した状態となる。
この状態から、指の指先部分Ｈｄを縦壁１５２ｂと接した状態とするためには、掌Ｈａ及び指の掌側の部分Ｈｂをやや持ち上げるようにして、リム上面部１５４から離間させることが必要となる。
また、従来の水洗大便器１０１においては、人間の手指の関節の可動範囲が限られることから、仮に無理に手指を曲げて、使用者の手指Ｈの指の付け根側部分Ｈｂとリム上面部１５４とを接した状態とし、指の第２関節部分Ｈｃとリム内壁上部縁部１５２ａの上部の一部を接した状態とするとしても、指の第２関節部分Ｈｃとリム内壁上部縁部１５２ａの下部との接触ができないのみならず、指の指先部分Ｈｄと縦壁１５２ｂとも接した状態とすることができない。従って、リム内壁上部縁部１５２ａ及び縦壁１５２ｂの清掃に不具合が生じ、さらなる清掃の手間が生じる。
また、従来の水洗大便器１０１においては、人間の手指の関節の可動範囲が限られることから、仮に無理に手指を曲げて、使用者の手指Ｈの指の付け根側部分Ｈｂとリム上面部１５４とを接した状態とし、指の指先部分Ｈｄと縦壁１５２ｂとを接した状態とするとしても、同時に指の第２関節部分Ｈｃとリム内壁上部縁部１５２ａとを接した状態とすることができない。従って、リム内壁上部縁部１５２ａの清掃に不具合が生じ、さらなる清掃の手間が生じる。
さらに、使用者が手指Ｈを無理に曲げないと、リム上面部１５４と一部の他の曲面を同時に接した状態とすることができないため、使用者が清掃のために必要とする力を手指Ｈにかけることが困難となる。従って、リム上面部１５４、リム内壁上部縁部１５２ａ及び縦壁１５２ｂの清掃性に問題が生じることとなる。
【００６５】
再び、本発明の一実施形態による水洗大便器１について説明する。
上述した本発明の一実施形態による水洗大便器１においては、リム内壁部５２が、リム内壁部５２の上部領域の内側が下方に傾斜するリム内壁上部傾斜面５２ａを備えている。従って、使用者が、リム部４６の拭き掃除を行う場合に、自身の手指がリム部４６の上面からリム内壁上部傾斜面５２ａの丸みに沿うように縦壁５２ｂまでかかっている状態で、リム部４６のリム上面部５４、リム内壁上部傾斜面５２ａ及び縦壁５２ｂを効率よく清掃することができる。さらに、リム部４６のリム上面部５４からリム内壁上部傾斜面５２ａ及び縦壁５２ｂに比較的均等に力をかけながら拭き掃除をすることができるため、使用者が、拭き掃除をしようとする比較的強い力を容易にリム部全体にかけることができ、清掃性を向上させることができる。
また、リム内壁部５２が、リム内壁部５２の上部領域の内側が下方に傾斜するリム内壁上部傾斜面５２ａを備えている。よって汚物受け面４４の上方外側に形成されたリム内壁上部傾斜面５２ａが、汚物受け面４４がさらに外側に拡がっているような印象を使用者に与えることができ、ボウル部８を従来よりも比較的大きく見せることができ使用者に使用時に尿等をボウル部８内へ排出しやすいという安心感を与えることができる。
【００６６】
また、上述した本発明の一実施形態による水洗大便器１によれば、リム部４６がリム外壁５６ｂの上部領域の外側が下方に傾斜するリム外壁上部傾斜面５６ａを備えるので、リム部４６上に設置する便蓋４の少なくとも一部の外装部分をリム外壁上部傾斜面５６ａの高さに、容易に組み付け及び位置合わせすることができ、さらに、便器の横方向から見て、便蓋４の少なくとも一部の外装部分と、リム外壁上部傾斜面５６ａとの境目が直線的に整った一つのラインとして見え、使用者に美的感覚を与えることができる。
【００６７】
また、上述した本発明の一実施形態による水洗大便器１によれば、リム部４６の全周の少なくとも１部において、リム内壁上部傾斜面５２ａの水平方向の幅Ｗ１はリム外壁上部傾斜面５６ａの水平方向の幅Ｗ２よりも大きく形成されているので、使用者が、リム部４６の拭き掃除を行う場合に、自身の手指がリム部４６の上部からリム内壁上部傾斜面５２ａの傾斜する面に沿うようにリム部４６の内壁までかかっている状態で、リム部４６のリム上面部５４、リム内壁上部傾斜面５２ａ及びリム内壁部５２を効率よく清掃することができる。さらに、リム部４６の上面からリム内壁上部傾斜面５２ａ及びリム内壁部５２に比較的均等に力をかけながら拭き掃除をすることができるため、使用者が、拭き掃除をしようとする比較的強い力を容易にリム部４６全体にかけることができ、清掃性を向上させることができる。
【００６８】
また、上述した本発明の一実施形態による水洗大便器１によれば、リム吐水口１４から吐水された洗浄水は、リム内壁上部傾斜面５２ａの下端５２ｃよりも下方の領域に沿って旋回されるので、洗浄水がリム内壁上部傾斜面５２ａを越えて便器外に水飛びすることを抑制することができる。また、このように洗浄水がリム内壁上部傾斜面５２ａの下端５２ｃよりも下方の領域に沿って旋回されるので、リム内壁上部傾斜面５２ａの幅や大きさを比較的大きく形成することができる。ただし、本発明はこのような実施形態に限定されるものではなく、例えば、リム吐水口１４にて洗浄水が到達する最大高さよりもリム内壁上部傾斜面５２ａの下端５２ｃの位置が高ければ、同様の効果を得ることができる。例えば、リム吐水口１４から吐水される洗浄水がリム吐水口１４の中心にまでしか高さが到達しない場合、リム内壁上部傾斜面５２ａの下端５２ｃをリム吐水口１４の中止よりも高い位置になるよう設ければよい。
【００６９】
また、上述した本発明の一実施形態による水洗大便器１によれば、リム内壁上部傾斜面５２ａを形成する円弧の半径が、使用者の手指の曲りによって握りやすい半径に形成されている。よって、使用者が、リム部４６の拭き掃除を行う場合に、自身の手指をリム内壁上部傾斜面５２ａを形成する円弧形状に沿うようにかけやすくなっている。
【００７０】
また、上述した本発明の一実施形態による水洗大便器１によれば、施工者、製造者等が便器の運搬をする際に、手指をオーバーハングした形状に形成されたリム部４６にかけることにより、手指を引っかけた状態で、便器の運搬を良好にすることができる。
【００７１】
また、上述した本発明の一実施形態による水洗大便器１によれば、リム吐水口１４が、ボウル部８の前端８ａから後方に向かって流れる旋回流を形成することができ、節水をしながらボウル部を十分に洗浄することができる。
【００７２】
また、上述した本発明の一実施形態による水洗大便器１によれば、リム吐水口１４から吐水された洗浄水がリム部４６を越えて便器外に水飛びを生じやすいボウル部８のリム吐水口１４から前方側の領域において、リム部４６の上部が内側に向かってオーバーハングした形状に形成されているので、洗浄水が便器外に水飛びすることを抑制することができる。
【００７３】
また、上述した本発明の一実施形態による水洗大便器１によれば、水道直圧式の給水装置（機能部６）により供給される洗浄水は、吐水時の水勢の強さが比較的抑制される。従って、リム吐水口１４から吐水された洗浄水がボウル部８からリム部４６を越えて水飛びしにくくなり、リム内壁上部傾斜面５２ａの幅を大きく形成することができる。
【００７４】
また、上述した本発明の一実施形態による水洗大便器１によれば、リム部４６がリム外壁５６ｂの上部領域の外側が下方に傾斜するリム外壁上部傾斜面５６ａを備え、便蓋４の少なくとも一部の外装部分の下端は、リム部４６のリム上面部５４の高さよりも低い高さに配置されるので、便蓋４の少なくとも一部の外装部分をリム外壁上部傾斜面５６ａの高さに配置することができる。
【符号の説明】
【００７５】
１        水洗大便器
２        便器本体
４        便蓋
６        機能部
８        ボウル部
８ａ      前端
１０      排水トラップ管路
１０ａ    入口部
１０ｂ    トラップ上昇管
１０ｃ    トラップ下降管
１２      ジェット吐水口
１４      リム吐水口
１４ａ    リム側給水路
１４ｂ    頂部
１６      定流量弁
１８      電磁弁
２０      リム吐水用バキュームブレーカ
２２      リム吐水用フラッパー弁
２４      給水路
２６      切替弁
２８      貯水タンク
２８ａ    タンク側給水路
２８ｃ    下端フロートスイッチ
２８ｂ    上端フロートスイッチ
３０      加圧ポンプ
３０ａ    洗浄水管路
３０ｂ    洗浄水管路
３２      ジェット吐水用バキュームブレーカ
３２ａ    分岐管路
３４      ジェット吐水用フラッパー弁
３６      水抜栓
３８      コントローラ
４２      洗浄水管路頂部
４４      汚物受け面
４４ａ    上端
４６      リム部
４８      溜水部
５０      導水路
５２      リム内壁部
５２ａ    リム内壁上部傾斜面
５２ｂ    縦壁
５２ｃ    下端
５２ｄ    上端
５４      リム上面部
５４ａ    凹凸
５６      リム外壁部
５６ａ    リム外壁上部傾斜面
５６ｂ    リム外壁
５６ｃ    下端
５６ｄ    上端
５８      側壁
６０      便蓋下端部
６０ａ    便蓋下端面
６０ｂ    便蓋内側面
６０ｃ    便蓋外側面
６２      機能部下端部
１０１    水洗大便器
１０４    便蓋
１４６    リム部
１５２ａ  リム内壁上部縁部
１５２ｂ  縦壁
１５４    リム上面部
１５４ａ  凹凸
１５６    リム外壁部
１５６ａ  リム外壁上部傾斜面
１６０    便蓋下端部
Ｈ        手指
Ｈａ      掌
Ｈｂ      根側部分
Ｈｃ      関節部分
Ｈｄ      指先部分
ｒ        半径
Ｒ        半径
Ｃ        隙間
Ｓ        隙間
Ｗ0       溜水面
Ｗ１      幅
Ｗ２      幅
Ｗ３      幅
【図１】
0006740565.tif 000002
【図２】
0006740565.tif 000003
【図３】
0006740565.tif 000004
【図４】
0006740565.tif 000005
【図５】
0006740565.tif 000006
【図６】
0006740565.tif 000007
【図７】
0006740565.tif 000008
【図８】
0006740565.tif 000009
【図９】
0006740565.tif 000010
【図１０】
0006740565.tif 000011
【図１１】
0006740565.tif 000012
【図１２】
0006740565.tif 000013